(57)【要約】【課題】本発明は、鋼管矢板等の杭を圧入しながら地盤の支持力を測定できると共に前記支持力をリアルタイムで記録、管理できる油圧圧入機支持力測定装置を提供する。【解決手段】油圧圧入機１０の第１ジャッキ用油圧ホース３０の中間部には油圧圧入機支持力測定装置３４の圧力変換器取付体３６が配設されている。この圧力変換器取付体３６には第１ジャッキ用油圧ホース３０を流れて油圧ジャッキ装置１８に流入するオイルが流れるようになっている。圧力変換器取付体３６には圧力変換器３８が設けられ、圧力変換器３８は圧力変換器取付体３６を通過するオイルの圧力を電流に変換する機能を有している。圧力変換器３８はひずみ測定器４２と接続されている。ひずみ測定器４２はプリンター４６と接続されており、鋼管矢板１を圧入している時の圧力の値等をプリントすることができるようになっている。【選択図】図１
2011174313.tif 000002
【特許請求の範囲】
【請求項１】
油圧圧入機に設けられた油圧ジャッキ装置の油圧回路に取り付けられる油圧圧入機支持力測定装置であって、前記油圧ジャッキ装置のオイルが流れる筒状の圧力変換器取付体と、この圧力変換器取付体に設けられると共に圧力変換器取付体の内部を流れるオイルの圧力を電流に変換する圧力変換器と、この圧力変換器と接続されると共に圧力変換器で変換された電流から圧力を測定できるひずみ測定器と、を有してなることを特徴とする油圧圧入機支持力測定装置。
【請求項２】
油圧圧入機に設けられた油圧ジャッキ装置の油圧回路に取り付けられる油圧圧入機支持力測定装置であって、前記油圧ジャッキ装置のオイルが流れる筒状の圧力変換器取付体と、この圧力変換器取付体に設けられると共に圧力変換器取付体の内部を流れるオイルの圧力を電流に変換する圧力変換器と、この圧力変換器と接続されると共に圧力変換器で変換された電流から圧力を測定できるひずみ測定器と、このひずみ測定器と接続されて前記ひずみ測定器で測定された圧力をプリントするプリンターと、を有してなることを特徴とする油圧圧入機支持力測定装置。
【請求項３】
油圧圧入機に設けられて油圧ジャッキ装置に油圧装置からオイルを流入するジャッキ用油圧ホースに取り付けられる油圧圧入機支持力測定装置であって、前記油圧ジャッキ用油圧ホースの中間部に配設されてジャッキ用油圧ホースを流れるオイルが流れる筒状の圧力変換器取付体と、この圧力変換器取付体に設けられると共に圧力変換器取付体の内部を流れるオイルの圧力を電流に変換する圧力変換器と、この圧力変換器と接続されると共に圧力変換器で変換された電流から圧力を測定できるひずみ測定器と、このひずみ測定器と接続されて前記ひずみ測定器で測定された圧力をプリントするプリンターと、を有してなることを特徴とする油圧圧入機支持力測定装置。
【請求項４】
前記ひずみ測定器で測定した情報を表示することができるコンピュータを設けたことを特徴とする請求項３記載の油圧圧入機支持力測定装置。
【発明の詳細な説明】
【技術分野】
【０００１】
本発明は、鋼管矢板等の杭を地盤に圧入する場合に前記杭を圧入する地盤の支持力を測定したり、支持力をリアルタイムで記録、管理することができる油圧圧入機支持力測定装置に関する。
【背景技術】
【０００２】
建設現場の基礎工事等においては鋼管矢板等の杭を地盤に圧入する場合、建造物の安全性等の見地から地盤の支持力が重要なポイントになる。
このため、従来においては鋼管矢板等の杭を杭圧入機等で圧入した後に、載荷試験装置を使用して載荷試験等を行って地盤の支持力を測定、記録等している（特許文献１）。
従って、鋼管矢板等の杭の圧入作業を行った後に圧入した杭の載荷試験を別途に行うため、杭の圧入作業と載荷試験作業が別途になって作業効率が悪いという不具合がある。
また、従来においては上述したように鋼管矢板等の杭を杭圧入機等で圧入した後に、圧入した杭の載荷試験等を行っていたので、杭を圧入する場合にリアルタイムで地盤の支持力を測定したり記録等したりすることができなかった。
【先行技術文献】
【特許文献】
【０００３】
【特許文献１】特開２００３−２７５１８号公報
【発明の概要】
【発明が解決しようとする課題】
【０００４】
本発明は、上記事実に鑑みなされたものであり、鋼管矢板等の杭を圧入しながら地盤の支持力を測定できると共に前記支持力をリアルタイムで記録、管理することができる油圧圧入機支持力測定装置を提供するものである。
【課題を解決するための手段】
【０００５】
請求項１の発明は、油圧圧入機に設けられた油圧ジャッキ装置の油圧回路に取り付けられる油圧圧入機支持力測定装置であって、前記油圧ジャッキ装置のオイルが流れる筒状の圧力変換器取付体と、この圧力変換器取付体に設けられると共に圧力変換器取付体の内部を流れるオイルの圧力を電流に変換する圧力変換器と、この圧力変換器と接続されると共に圧力変換器で変換された電流から圧力を測定できるひずみ測定器と、を有してなることを特徴としている。
請求項２の発明は、油圧圧入機に設けられた油圧ジャッキ装置の油圧回路に取り付けられる油圧圧入機支持力測定装置であって、前記油圧ジャッキ装置のオイルが流れる筒状の圧力変換器取付体と、この圧力変換器取付体に設けられると共に圧力変換器取付体の内部を流れるオイルの圧力を電流に変換する圧力変換器と、この圧力変換器と接続されると共に圧力変換器で変換された電流から圧力を測定できるひずみ測定器と、このひずみ測定器と接続されて前記ひずみ測定器で測定された圧力をプリントするプリンターと、を有してなることを特徴としている。
請求項３の発明は、油圧圧入機に設けられて油圧ジャッキ装置に油圧装置からオイルを流入するジャッキ用油圧ホースに取り付けられる油圧圧入機支持力測定装置であって、前記油圧ジャッキ用油圧ホースの中間部に配設されてジャッキ用油圧ホースを流れるオイルが流れる筒状の圧力変換器取付体と、この圧力変換器取付体に設けられると共に圧力変換器取付体の内部を流れるオイルの圧力を電流に変換する圧力変換器と、この圧力変換器と接続されると共に圧力変換器で変換された電流から圧力を測定できるひずみ測定器と、このひずみ測定器と接続されて前記ひずみ測定器で測定された圧力をプリントするプリンターと、を有してなることを特徴としている。
請求項４の発明は、前記ひずみ測定器で測定した情報を表示することができるコンピュータを設けたことを特徴としている。
【発明の効果】
【０００６】
本発明の油圧圧入機支持力測定装置は、鋼管矢板等の杭を圧入しながら地盤の支持力を測定できて前記支持力をリアルタイムで記録、管理することができるという優れた効果を有する。
また、本発明の油圧圧入機支持力測定装置は、鋼管矢板等の杭を圧入しながら地盤の支持力を測定できるので別途に載荷試験等を行う必要がなく作業効率を向上させることできるという優れた効果を有する。
さらに、本発明の油圧圧入機支持力測定装置は、装置がコンパクトであると共に装置の部品点数が少ないので鋼管矢板等の杭を圧入しながら地盤の支持力を測定する場合に使い勝手に優れているという効果を有する。
【図面の簡単な説明】
【０００７】
【図１】第１実施例の油圧圧入機支持力測定装置の概略全体図である。
【図２】第１実施例の油圧圧入機支持力測定装置で測定された値をプリントしたプリンタ用紙の一部拡大図である。
【図３】第１実施例の油圧圧入機支持力測定装置が設けられる油圧圧入機の概略側面図である。
【図４】第２実施例の変形例を示す油圧圧入機支持力測定装置の概略全体図である。
【図５】第１実施例、第２実施例の油圧圧入機支持力測定装置で測定された値をグラフで表示した場合の一部拡大図である。
【発明を実施するための形態】
【０００８】
発明を実施するために最良の形態の例として以下のような実施例を示す。
【実施例１】
【０００９】
図１〜図３には本発明に係わる油圧圧入機支持力測定装置の第１実施例が示されている。
なお、この実施例では杭としての鋼管矢板１を油圧圧入機を使用して地盤に圧入する場合を例にして説明する。また、この鋼管矢板１の側面には下端面（図３下側）から上端面（図３上側）に向かって鋼管矢板１の長さが１メートル間隔で表示されているので、鋼管矢板１が地盤２に何メートル圧入されているかを一見して知ることができるようになっている。
図３に示されるように、鋼管矢板１を地盤２に圧入する油圧圧入機１０の基台１２の下部には既に圧入して打ち込まれた鋼管矢板１を掴むクランプ１４が複数設けられている。
前記基台１２の上面にはマスト１６が設けられている。このマスト１６は作業上の便宜を図るため適宜手段により前記基台１２に対して水平方向に回動可能に載置されている。
前記マスト１６の前面部には上下方向に向かって移動可能な油圧ジャッキ装置１８が設けられている。この油圧ジャッキ装置１８の前方には前記鋼管矢板１を挟持するチャック装置２０が設けられている。
従って、前記チャック装置２０のチャック本体２２が前記鋼管矢板１を挟持して油圧ジャッキ装置１８が下方に移動することにより鋼管矢板１は地盤２に圧入され、油圧ジャッキ装置１８の下方向移動を繰り返すことにより鋼管矢板１は地盤２に圧入されるようになっている。
前記マスト１６の内部には油圧装置２４が内蔵されている。この油圧装置２４は前記マスト１６の外に設けられた油圧ユニット（図示せず）と第１オイル循環ホース２６，第２オイル循環ホース２８を介して接続されている。
この第１オイル循環ホース２６は前記油圧ユニットからオイルを前記油圧装置２４内部に流入させる役目を有し、この第２オイル循環ホース２８は前記油圧装置２４のオイルを前記油圧ユニットに流入させる役目を有している。
従って、第１オイル循環ホース２６と第２オイル循環ホース２８を介して油圧装置２４と油圧ユニットの間をオイルが循環するようになっている。
前記油圧ジャッキ装置１８と油圧装置２４の間には油圧回路としての第１ジャッキ用油圧ホース３０と第２ジャッキ用油圧ホース３２が接続されている。この第１ジャッキ用油圧ホース３０は前記油圧装置２４内部のオイルを油圧ジャッキ装置１８に流入させる役目を有すホースであり、第２ジャッキ用油圧ホース３２は油圧ジャッキ装置１８内部のオイルを油圧装置２４に流入させる役目を有すホースである。
図１に示されるように、前記第１ジャッキ用油圧ホース３０の中間部には本発明の油圧圧入機支持力測定装置３４の圧力変換器取付体３６が配設されている。この圧力変換器取付体３６は筒状に形成されており、前記第１ジャッキ用油圧ホース３０を流れて油圧ジャッキ装置１８に流入するオイルが流れるようになっている。
この圧力変換器取付体３６には圧力変換器３８が設けられている。この圧力変換器３８は前記圧力変換器取付体３６の内部を通過するオイルの圧力を電流に変換する機能を有している。
前記圧力変換器３８は圧力変換器用ケーブル４０を介してひずみ測定器４２と接続されている。従って、前記圧力変換器３８によって電流に変換された電流によってひずみ測定器４２が油圧ジャッキ装置１８で作用する圧力を測定できるようになっている。また、このひずみ測定器４２のディスプレー部４２Ａには測定された前記圧力が表示されるようになっている。
前記ひずみ測定器４２はプリンター用ケーブル４４を介してプリンター４６と接続されている。従って、このプリンター４６を操作することにより図２に示されるようにプリンター用紙４８に圧入している時の圧力をプリントすることができる。なお、このプリンター用紙４８には鋼管矢板１を地盤２に圧入している日付、時間、圧力の値がプリントされる。
図２に示されるように、この実施例では鋼管矢板１を地盤２に圧入する場合に１０秒間隔で圧力の値を表示することができ、これにより圧入している最中の鋼管矢板１の地盤２の支持力をリアルタイムで測定、表示、プリントすることができる。
また、油圧圧入機支持力測定装置３４を鋼管矢板１の圧入開始時点から圧入完了時点まで作動させることにより、圧入開始時点から圧入完了時点までの地盤支持力のサイクルを測定、記録、管理等することができる。
さらに、図３に示されるように前記鋼管矢板１の側面には鋼管矢板１の下端面から上端面に向かって１メートル間隔で鋼管矢板１の下端面からの長さが表示されているので、作業者が鋼管矢板１とプリンター用紙４８を見比べることにより、鋼管矢板１を圧入している箇所の地盤２の支持力も一見して容易に知ることができる。
【００１０】
次に、第１実施例の油圧圧入機支持力測定装置３４を取り付けた油圧圧入機１０を使用して鋼管矢板１を地盤２に圧入する場合を例にして説明する。
予め前記第１ジャッキ用油圧ホース３０の中間部に油圧圧入機支持力測定装置３４の圧力変換器取付体３６を配設しておく。また、前記圧力変換器３８は圧力変換器用ケーブル４０を介してひずみ測定器４２と接続しておき、前記ひずみ測定器４２はプリンター用ケーブル４４を介してプリンター４６と接続しておく。
そして、油圧圧入機１０を始動させて鋼管矢板１を地盤２に圧入する。油圧圧入機１の始動により、油圧装置２４のオイルが第１ジャッキ用油圧ホース３０に流れるため、オイルは圧力変換器取付体３６を通過する。圧力変換器取付体３６を通過したオイルの圧力を圧力変換器３８が電流に変換する。そして、前記圧力変換器３８によって電流に変換された電流によってひずみ測定器４２が圧力を測定する。
前記ひずみ測定器４２で測定された圧力の値はディスプレー部４２Ａに表示されると共にプリンター４６によってプリンター用紙４８に１０秒間隔でプリントされる。
従って、作業者は油圧杭圧入機１０で鋼管矢板１を地盤２に圧入しながら地盤２の支持力をリアルタイムで測定、記録、管理することができる。また、油圧圧入機支持力測定装置３４を鋼管矢板１の圧入開始時点から圧入完了時点まで作動させることにより、圧入開始時点から圧入完了時点までの地盤支持力のサイクルを測定、記録、管理等することができる。
しかも、前記鋼管矢板１の側面には鋼管矢板１の下端面から上端面に向かって１メートル間隔で長さが表示されているので、鋼管矢板１とプリンター用紙４８を見比べることにより、鋼管矢板１を圧入している現在の箇所の地盤２の支持力も一見して容易に知ることができる。
また、本発明の油圧圧入機支持力測定装置３４は、前記鋼管矢板１を地盤２に圧入するのと同時に地盤２の支持力を測定できるので、別途に地盤２の支持力を測定する試験等を行うことが不要となるので鋼管矢板１の圧入作業の作業効率を一段と向上させることできる。
さらに、本発明の油圧圧入機支持力測定装置３４は、装置がコンパクトであると共に装置の部品点数が少ないので、鋼管矢板１を圧入しながら地盤２の支持力を測定する場合に使い勝手に優れている。
【００１１】
図４には本発明に係わる油圧圧入機支持力測定装置の第２実施例が示されている。なお、第１実施例の油圧圧入機支持力測定装置３４と同一の構成、効果は同一の符号を用いてその説明を省略する。
図４に示されるように、第２実施例の油圧圧入機支持力測定装置５０においては前記プリンター４６と別途にコンピュータとしてのパーソナルコンピュータ５２も設けられている。このパーソナルコンピュータ５２を使用することによりひずみ測定器４２で測定された圧力をパーソナルコンピュータ５２のディスプレー部５２Ａに表示できるようになっている。
前記ひずみ測定器４２にはメモリーカードとしてのＳＲＡＭカード５４を差し込んでひずみ測定器４２で測定された情報を記憶させることができるようになっている。
このＳＲＡＭカード５４は前記パーソナルコンピュータ５２とＵＳＢ５６を介して接続されているＳＲＡＭカードリーダー５８で読み取ることにより、前記パーソナルコンピュータ５２のディスプレー部５２Ａに表示できるようになっている。
従って、測定された圧力を前記パーソナルコンピュータ５２のディスプレー部５２Ａに表示できるので、鋼管矢板１の圧入現場から遠く離れた場所でも測定結果、測定記録等を知ることができるので便利である。
なお、他の構成、作用、効果は第１実施例の油圧圧入機支持力測定装置３４と同一であるのでその説明は省略する。
【００１２】
なお、第１実施例、第２実施例では油圧圧入機支持力測定装置３４，５０の圧力変換器取付体３６を油圧回路としての第１ジャッキ用油圧ホース３０の中間部に取り付けたが、油圧圧入機支持力測定装置３４，５０の圧力変換器取付体３６は油圧ジャッキ装置１８の油圧回路であれば第１ジャッキ用油圧ホース３０以外のところに取り付けてもよいことは勿論である。
また、第１実施例、第２実施例では鋼管矢板１を地盤２に圧入する場合を例にして説明したが圧入する杭は鋼管矢板１に限定されるものでないことは勿論である。
【００１３】
なお、測定した圧力の値は図５に示すようにグラフで表示するようにしてもよく、実施例で示す場合に限定されるものでないことは勿論である。
【産業上の利用可能性】
【００１４】
本発明の油圧圧入機支持力測定装置３４，５０は鋼管矢板１を圧入する場合だけでなく他の杭を圧入する場合にも使用することができる。
【符号の説明】
【００１５】
１０    油圧圧入機
１２    基台
１４    クランプ
１６    マスト
１８    油圧ジャッキ装置
２０    チャック装置
２２    チャック本体
２４    油圧装置
２６    第１オイル循環ホース
２８    第２オイル循環ホース
３０    第１ジャッキ用油圧ホース
３２    第２ジャッキ用油圧ホース
３４    油圧圧入機支持力測定装置
３６    圧力変換器取付体
３８    圧力変換器
４０    圧力変換器用ケーブル
４２    ひずみ測定器
４４    プリンター用ケーブル
４６    プリンター
４８    プリンター用紙
【図１】
2011174313.tif 000003
【図２】
2011174313.tif 000004
【図３】
2011174313.tif 000005
【図４】
2011174313.tif 000006
【図５】
2011174313.tif 000007